(57)【要約】【課題】  部品形成のばらつきがあったとしても、組み付け作業性が低下することなく、確実にスピーカを固定できるスピーカの固定構造を提供する。【解決手段】  スピーカ１と、スピーカ１を収容する収容部２１を備えたケース体２と、ケース体２に形成された複数の係止片３をスピーカ１の係合部１４に係止することでスピーカ１を固定するスピーカの固定構造において、係止片３は、スピーカ１の中心に向かって径が小さくなる傾斜部３１１を有し、傾斜部３１１にスピーカ１の係合部１４が当接し、係合部１４をスピーカ１の中心方向に押圧するように形成されたことによって、部品の寸法にバラツキがあったとしても、スピーカ１の係合部１４が、傾斜部３１１に当接していればよいので組み付け性が向上する。【選択図】図２
2013123137.tif 000002
【特許請求の範囲】
【請求項１】
スピーカと、前記スピーカを収容する収容部を備えたケース体と、前記ケース体に形成された複数の係止片を前記スピーカの係合部に係止することで前記スピーカを固定するスピーカの固定構造において、
前記係止片は、前記傾斜部に前記スピーカの係合部が当接する傾斜部を有し、前記係合部を前記スピーカの中心方向に押圧するように形成されたことを特徴とするスピーカの固定構造。
【請求項２】
前記収容部は、前記係止片と対応する箇所に前記係止片が撓む際の隙間を有していることを特徴とする請求項１に記載のスピーカの固定構造。
【発明の詳細な説明】
【技術分野】
【０００１】
本発明は、車両用計器装置などのスピーカを固定するスピーカの固定構造に関するものである。
【背景技術】
【０００２】
従来の車両用計器装置は、例えば、特許文献１に記載されているように、回路基板の一方の面に実装されたスピーカと、回路基板の背面を覆う下ケースと、回路基板との間に隙間を有するように下ケースに装着されたスピーカキャップとを備え、スピーカの音圧レベルが、スピーカを覆うスピーカキャップの径に応じて調整されているものである。
【０００３】
また、特許文献２に記載されているように、回路基板にスピーカを実装せずに、下ケースに筒状の凹部を設けて、スピーカを収容して、凹部の周壁にスピーカ中心方向に向かって突出する複数の突起部を設けて、スピーカを固定する構造も知られている。
【先行技術文献】
【特許文献】
【０００４】
【特許文献１】特開２０１０−３２０８３号公報
【特許文献２】特開２００９−８０５５５号公報
【発明の概要】
【発明が解決しようとする課題】
【０００５】
しかしながら、突起部を用いてスピーカを保持する場合、樹脂が冷えた際に生じる樹脂痩せなどの現象により、凹部内に収納されたスピーカががたついてしまうという問題点があった。
【課題を解決するための手段】
【０００６】
そこで、本発明は、スピーカと、前記スピーカを収容する収容部を備えたケース体と、前記ケース体に形成された複数の係止片を前記スピーカの係合部に係止することで前記スピーカを固定するスピーカの固定構造において、
前記係止片は、前記傾斜部に前記スピーカの係合部が当接する傾斜部を有し、前記係合部を前記スピーカの中心方向に押圧するように形成されたものである。
【０００７】
また、本発明は、前記収容部は、前記係止片と対応する箇所に前記係止片が撓む際の隙間を有しているものである。
【発明の効果】
【０００８】
部品形成のばらつきがあったとしても、組み付け作業性が低下することなく、確実にスピーカを固定できるスピーカの固定構造を提供することができる。
【図面の簡単な説明】
【０００９】
【図１】本発明の実施形態を示す正面図。
【図２】同上実施形態を示すＸ−Ｘ断面図。
【図３】同上実施形態の係止片の拡大図。
【図４】同上実施形態の係止片の変形例。
【発明を実施するための形態】
【００１０】
以下、添付図面に基づいて、本発明の一実施形態を説明する。スピーカ１の固定構造は、スピーカ１と、スピーカ１が収容される収容部２１を有するケース体２と、ケース体２と一体成形された３つの係止片３と、から主に構成されている。
【００１１】
スピーカ１は、略円盤形状になっており、円形の胴部１１と、胴部１１の外周に向かって突出したフランジ部１２とから構成されている。スピーカ１の胴部１１とフランジ部１２との間は凹部１３になっている。
【００１２】
フランジ部１２は、その端部に後述する傾斜部が係合される係合部１４を有している。
【００１３】
ケース体２は、例えば白色の合成樹脂から形成されたものであり、本実施形態においては、車両用表示装置などの下ケースにスピーカ１を収容する収容部２１が形成されたものである。
【００１４】
また、ケース体２の背後側には、複数の孔からなる開口部２３が設けられ、スピーカ１から発せられる吹鳴音が開口部２３を通過する。
【００１５】
係止片３は、弾性を有する樹脂材料からなり、上端部３１と下端部３２とから構成されている。３つの係止片３は、略均等な間隔（約１２０°間隔）で配置されている。図２に示すように、係止片３の上端部３１は、収容部２１に収容されたスピーカ１側に張り出している。また、係止片３は、その下端部３２が上方に向けて折り返すように形成されてケース体２と一体成形されており、係止片３の撓みが可能なように係止片３の両側にはスリット部２２が形成され（図１参照）、係止片３の背後には隙間Ｓが形成されている。
【００１６】
係止片３の上端部３１は傾斜部３１１を有し、この傾斜部３１１がスピーカ１の係合部１４に当接することによって、スピーカ１が固定される。
【００１７】
スピーカ１の固定方法を説明する。スピーカ１は、ケース体２の収容部２１に収容される際に、係止片３の上端部３１を隙間Ｓ方向に押し広げる。
【００１８】
スピーカ１を収容した後は、係止片３の上端部３１が係合部１４の上方に張り出すように元の状態に戻ることによって、傾斜部３１１がスピーカ１の係合部１４に当接する。これにより、係止片３は、スピーカ１の係合部１４からの離脱を防いでいる。
【００１９】
このように本発明は、スピーカ１と、スピーカ１を収容する収容部２１を備えたケース体２と、ケース体２に形成された複数の係止片３をスピーカ１の係合部１４に係止することでスピーカ１を固定するスピーカの固定構造において、
係止片３は傾斜部３１１を有し、傾斜部３１１にスピーカ１の係合部１４が当接し、係合部１４をスピーカ１の中心方向に押圧するように形成されたことによって、部品の寸法にバラツキがあったとしても、スピーカ１の係合部１４が、傾斜部３１１に当接していればよいので組み付け性が向上する。
【００２０】
また、本発明は、収容部２１は係止片３と対応する箇所に係止片３が撓む際の隙間Ｓを有していることによって、上端部３１を撓ませることができるので、組み付け性が向上する。
【００２１】
また、本実施形態では、３つの係止片３でスピーカ１を保持しているが、円形のスピーカ１を３つの係止片３で囲むことによって、押圧がスピーカ１の中心Ｐに向けて均等にかかる為、安定した力で固定することができる。
【００２２】
また、上端部３１は、組み付けられた際に、傾斜部３１１が係止部１４に当接し、また上端部３１が係合部１４の上方に張り出すように位置していればよく、例えば図４に示したような構造が可能である。
【符号の説明】
【００２３】
１    スピーカ
２    ケース体
３    係止片
１１  胴部
１２  フランジ部
１３  凹部
１４  係合部
２１  収容部
２２  スリット部
２３  開口部
３１  上端部
３２  下端部
３１１  傾斜部
Ｐ    スピーカ中心
Ｓ    隙間
【図１】
2013123137.tif 000003
【図２】
2013123137.tif 000004
【図３】
2013123137.tif 000005
【図４】
2013123137.tif 000006